(57)【要約】【課題】ラック内のスペースを効率良く利用することに限界があるので、結果として放送中継装置を小型化することが難しい。【解決手段】放送中継装置は複数の周波数変換モジュール及び接続部を備える。周波数変換モジュールは電源コネクタ及び基準信号コネクタを一方の面に有し放送波信号の周波数を変換する。電源コネクタは電力を受け付ける。基準信号コネクタは放送波信号をサンプリングするための基準信号を受け付ける。接続部は外部電源コネクタ及び外部基準信号コネクタを一方の側に有し周波数変換モジュールの一方の面と他方の側が対向している。外部電源コネクタは外部の電力を受け付ける。外部基準信号コネクタは外部の基準信号を受け付ける。接続部は他方の側に設けられた第１及び第２接続部材を有する。第１接続部材は電源コネクタに外部電源コネクタを接続する。第２接続部材は基準信号コネクタに外部基準信号コネクタを接続する。【選択図】図８
2018157391.tif 000002
【特許請求の範囲】
【請求項１】
電力を受け付ける電源コネクタ、中継する放送波の信号をサンプリングするための基準信号を受け付ける基準信号コネクタ、及び、自己の状態を監視する監視情報を出力する監視用コネクタを一方の面に有し、放送波の信号の周波数を変換する複数の周波数変換モジュールと、
外部からの前記電力を受け付ける外部電源コネクタ、外部からの前記基準信号を受け付ける外部基準信号コネクタ、及び、外部へ前記監視情報を出力する外部監視用コネクタを一方の側に有し、前記複数の周波数変換モジュールの前記一方の面と他方の側が対向して設けられた接続部と、
を備え、
前記接続部は、前記他方の側に設けられた、第１接続部材、第２接続部材、及び、第３接続部材を有し、
前記第１接続部材は、前記複数の周波数変換モジュールのそれぞれに設けられた前記電源コネクタに前記外部電源コネクタを接続し、
前記第２接続部材は、前記複数の周波数変換モジュールのそれぞれに設けられた前記基準信号コネクタに前記外部基準信号コネクタを接続し、
前記第３接続部材は、前記複数の周波数変換モジュールのそれぞれに設けられた前記監視用コネクタに前記外部監視用コネクタを接続する
放送中継装置。
【請求項２】
前記複数の周波数変換モジュールの側面及び上下面を覆い、前記接続部を支持する枠体を更に備える請求項１に記載の放送中継装置。
【請求項３】
前記周波数変換モジュールの操作を受け付ける操作部、及び、前記周波数変換モジュールの状態を表示する表示部を有する
請求項２に記載の放送中継装置。
【請求項４】
前記操作部及び前記表示部は、前記複数の周波数変換モジュールのそれぞれの他方の面に設けられている
請求項３に記載の放送中継装置。
【請求項５】
前記複数の周波数変換モジュールへの前記電力を管理する電力管理部を更に備え、
前記複数の周波数変換モジュールの前記操作部及び前記表示部は、前記電力管理部の前記他方の側の面に設けられている
請求項３に記載の放送中継装置。
【発明の詳細な説明】
【技術分野】
【０００１】
実施形態は、放送中継装置に関する。
【背景技術】
【０００２】
放送波を中継する放送中継装置が知られている。放送中継装置は放送中継局に設置され、各テレビ局に割り当てられたそれぞれの放送波を中継する。このような放送中継装置は、テレビ局各社が自社の放送波を中継するための複数のモジュールを備えていて、各社毎にラック等に固定された上で外部装置等とケーブルによって接続されている。
【先行技術文献】
【特許文献】
【０００３】
【特許文献１】特開２００５−２６３８８号公報
【発明の概要】
【発明が解決しようとする課題】
【０００４】
上述の放送中継装置では、テレビ局各社がそれぞれのモジュールを自社専用のラックに固定し外部装置等とケーブルで接続していたので、ラック内のスペースを効率良く利用することに限界があり、結果として放送中継装置を小型化することが難しいといった課題がある。
【課題を解決するための手段】
【０００５】
上述した課題を解決するために、実施形態の放送中継装置は、複数の周波数変換モジュールと、接続部とを備える。複数の周波数変換モジュールは、電源コネクタ、基準信号コネクタ、及び、監視用コネクタを一方の面に有し、放送波の信号の周波数を変換する。電源コネクタは、電力を受け付ける。基準信号コネクタは、中継する放送波の信号をサンプリングするための基準信号を受け付ける。監視用コネクタは、自己の状態を監視する監視情報を出力する。接続部は、外部電源コネクタ、外部基準信号コネクタ、及び、外部監視用コネクタを一方の側に有し、前記複数の周波数変換モジュールの前記一方の面と他方の側が対向して設けられている。外部電源コネクタは、外部からの前記電力を受け付ける。外部基準信号コネクタは、外部からの前記基準信号を受け付ける。外部監視用コネクタは、外部へ前記監視情報を出力する。前記接続部は、前記他方の側に設けられた、第１接続部材、第２接続部材、及び、第３接続部材を有する。前記第１接続部材は、前記複数の周波数変換モジュールのそれぞれに設けられた前記電源コネクタに前記外部電源コネクタを接続する。前記第２接続部材は、前記複数の周波数変換モジュールのそれぞれに設けられた前記基準信号コネクタに前記外部基準信号コネクタを接続する。前記第３接続部材は、前記複数の周波数変換モジュールのそれぞれに設けられた前記監視用コネクタに前記外部監視用コネクタを接続する。
【図面の簡単な説明】
【０００６】
【図１】第１実施形態の放送中継装置の全体構成を示す斜視図である。
【図２】放送中継装置の電気系の構成を示すブロック図である。
【図３】受信変換ユニットの前方斜視図である。
【図４】受信変換ユニットの後方斜視図である。
【図５】受信変換モジュールの前面の一例を示す図である。
【図６】受信変換モジュールの後面の一例を示す図である。
【図７】接続部を外した状態での受信変換ユニットの後面の一例を示す図である。
【図８】接続部の前面の一例を示す図である。
【図９】第２実施形態の放送中継装置の電気系の構成を示すブロック図である。
【図１０】第３実施形態の放送中継装置の電気系の構成を示すブロック図である。
【図１１】第４実施形態のＤＣＤＣモジュールの前面の一例を示す図である。
【発明を実施するための形態】
【０００７】
以下の例示的な実施形態や変形例には、同様の構成要素が含まれている。よって、以下では、同様の構成要素には共通の符号が付されるとともに、重複する説明が部分的に省略される。実施形態や変形例に含まれる部分は、他の実施形態や変形例の対応する部分と置き換えて構成されることができる。また、実施形態や変形例に含まれる部分の構成や位置等は、特に言及しない限りは、他の実施形態や変形例と同様である。
【０００８】
＜第１実施形態＞
図１は、第１実施形態の放送中継装置１０の全体構成を示す斜視図である。図１に矢印で示す前後左右上下を、放送中継装置１０の前後左右上下方向とする。放送中継装置１０は、複数（例えば、Ｎ個）の放送波を中継する。
【０００９】
放送中継装置１０は、収納棚１２と、分配ユニット１４と、受信変換ユニット１６と、マルチパスユニット１８と、ＩＦ遅延ユニット２０と、送信変換ユニット２２と、ＰＡ（Power  Amplifier）ユニット２４と、切替ユニット２６と、制御ユニット２８とを備える。分配ユニット１４、受信変換ユニット１６、マルチパスユニット１８、ＩＦ遅延ユニット２０、送信変換ユニット２２、ＰＡユニット２４、切替ユニット２６、及び、制御ユニット２８の配置は適宜変更してよい。
【００１０】
収納棚１２は、例えば、１９インチの高さを有する中空の直方体形状のラックである。収納棚１２は、分配ユニット１４、受信変換ユニット１６、マルチパスユニット１８、ＩＦ遅延ユニット２０、送信変換ユニット２２、ＰＡユニット２４、切替ユニット２６、及び、制御ユニット２８を収納して保持する。
【００１１】
分配ユニット１４は、複数（例えば、Ｎ個）の分配器３０を有する。
【００１２】
受信変換ユニット１６は、複数（例えば、２Ｎ個）の受信変換モジュール３２と、ＤＣＤＣモジュール３４とを有する。
【００１３】
マルチパスユニット１８は、複数（例えば、２Ｎ個）のマルチパスモジュール３６を有する。
【００１４】
ＩＦ遅延ユニット２０は、複数（例えば、２Ｎ個）のＩＦ遅延モジュール３８を有する。
【００１５】
送信変換ユニット２２は、複数（例えば、２Ｎ個）の送信変換モジュール４０と、ＤＣＤＣモジュール４２とを有する。
【００１６】
ＰＡユニット２４は、複数（例えば、２Ｎ個）のＰＡモジュール４４を有する。
【００１７】
切替ユニット２６は、複数（例えば、Ｎ個）の切替部４６を有する。
【００１８】
制御ユニット２８は、複数（例えば、Ｎ個）の制御部４８を有する。
【００１９】
図２は、放送中継装置１０の電気系の構成を示すブロック図である。図２に示すように、放送中継装置１０の内部では、分配器３０、切替部４６及び制御部４８がそれぞれ１つずつと、受信変換モジュール３２、マルチパスモジュール３６、ＩＦ遅延モジュール３８、送信変換モジュール４０及びＰＡモジュール４４がそれぞれ２つずつ、合計１組が１つの放送波（１波）に割り当てられている。これら１組のうち、一方は現用系として使用され、他方は予備系として使用される。図２において現用系と予備系はそれぞれ一点鎖線による太枠で示されている。現用系と予備系では、それぞれの受信変換モジュール３２、マルチパスモジュール３６、ＩＦ遅延モジュール３８、送信変換モジュール４０及びＰＡモジュール４４の機能は同じなので、予備系の説明は省略する。そして、放送中継装置１０全体としては、このような現用系と予備系からなる組がＮ波分（Ｎ組）収納されている。
【００２０】
分配器３０は、受信アンテナが受信した放送波に対応するデジタルのＲＦ（Radio  Frequency-：無線周波数）の放送波の信号（以下、放送波信号）を、現用系の受信変換モジュール３２と、予備系の受信変換モジュール３２とに分配して出力する。
【００２１】
受信変換モジュール３２は、受信変換モジュール３２を駆動するための直流電力（例えば、４８Ｖ）と、基準信号とを受け取る。基準信号は、中継する放送波信号をサンプリングするための信号であり、例えば、デジタルの放送波の周期に合わせて、予め定められたサンプリング周波数（例えば、１０ＭＨｚ）を有する。また、受信変換モジュール３２は、異常が発生した項目及び異常の発生時刻等の監視情報（ログ情報ともいう）を出力する。受信変換モジュール３２は、周波数変換モジュールの一例であり、放送波の信号の周波数を変換する機能を有し、分配器３０から受け取ったＲＦの放送波信号の周波数を、ＩＦ（Intermediate  Frequency：中間周波数）の放送波信号の周波数に変換して、マルチパスモジュール３６へ出力する。
【００２２】
ＤＣＤＣモジュール３４は、電力管理部の一例であり、複数の受信変換モジュール３２への電力を管理する。
【００２３】
マルチパスモジュール３６は、マルチパス等価回路を有し、マルチパスによって生じる放送波信号の歪みを補償し、歪み補償した放送波信号をＩＦ遅延モジュール３８へ出力する。
【００２４】
ＩＦ遅延モジュール３８は、マルチパス妨害を抑制するために、中継する放送波信号を予め定められた遅延時間（例えば、１０ｍｓ程度のガードインターバル）だけ遅延させて送信変換モジュール４０へ出力する。
【００２５】
送信変換モジュール４０は、送信変換モジュール４０を駆動するための直流電力（例えば、４８Ｖ）と、放送波信号をサンプリングするための基準信号とを受け取るとともに、異常が発生した項目及び発生時刻等の監視情報を出力する。送信変換モジュール４０は、周波数変換モジュールの他の例であり、放送波の信号の周波数を変換する機能を有し、ＩＦの放送波信号をＩＦ遅延モジュール３８から受け取り、ＩＦの放送波信号をＲＦの信号に周波数変換して、ＰＡモジュール４４へ出力する。
【００２６】
ＤＣＤＣモジュール４２は、電力管理部の他の例であり、複数の送信変換モジュール４０への電力を管理する。
【００２７】
ＰＡモジュール４４は、ＲＦの放送波信号の電力を増幅して、切替部４６へ出力する。
【００２８】
切替部４６は、現用系及び予備系のＰＡモジュール４４から放送波信号を取得するとともに、制御部４８からの切替信号に基づいて、現用系と予備系とを切り替えて、現用系と予備系のいずれかの放送波信号を送信アンテナに出力する。
【００２９】
制御部４８は、現用系及び予備系の状態に基づいて、切替部４６を制御して、現用系からの放送波信号と、予備系からの放送波信号とを切り替える。例えば、制御部４８は、現用系をメンテナンスしている場合、予備系を使用して、放送波信号を送信アンテナから送信する。
【００３０】
図３は、受信変換ユニット１６の前方斜視図である。図４は、受信変換ユニット１６の後方斜視図である。図３及び図４に示すように、受信変換ユニット１６は、枠体５０と、接続部５２とを更に有する。
【００３１】
枠体５０は、前面及び後面は開口し、Ｎ個の受信変換モジュール３２及びＤＣＤＣモジュール３４のセットの上下面及び左右側面を覆う中空の直方体形状に形成され、受信変換ユニット１６を前後方向に移動可能に支持する。
【００３２】
接続部５２は、枠体５０に支持されて枠体５０の後面に配置され、枠体５０の後面を塞ぎ、接続部５２の前側（＝他方の側の例）は、複数の受信変換モジュール３２及びＤＣＤＣモジュール３４の後面（＝一方の面の例）と対向する。接続部５２は、配線基板５４と、外部電源コネクタ５６と、外部基準信号コネクタ５８と、外部監視用コネクタ６０とを有する。外部電源コネクタ５６、外部基準信号コネクタ５８及び外部監視用コネクタ６０は、接続部５２の後ろ側（＝一方の側の例）に設けられている。
【００３３】
配線基板５４は、例えば、板状の部材であり、水平方向または上下方向にスライド可能に、かつ、取り外し可能に枠体５０に保持されている。配線基板５４は、外部電源コネクタ５６、外部基準信号コネクタ５８、及び、外部監視用コネクタ６０を後面で保持する。
【００３４】
外部電源コネクタ５６は、外部の電源と接続され、外部からの電力（例えば、４８Ｖの直流電力）を受け付ける。
【００３５】
外部基準信号コネクタ５８は、外部の信号生成装置に接続され、サンプリング用の周波数（例えば、１０ＭＨｚ）の基準信号を受け付ける。
【００３６】
外部監視用コネクタ６０は、外部のコンピュータ等の監視装置と接続され、受信変換モジュール３２の監視情報を外部（例えば、監視装置等）へ出力する。
【００３７】
図５は、受信変換モジュール３２の前面の一例を示す図である。図５に示すように、受信変換モジュール３２の前面（他方の面の例）には、スイッチ６１（操作部の一例）と、リセットボタン６２（操作部の他の例）と、ＲＦ信号コネクタ６４と、２個のＩＦ信号コネクタ６６、６６と、モニタ用コネクタ６８と、表示部７０ａ、７０ｂ、７０ｃ、７０ｄとが設けられている。スイッチ６１、リセットボタン６２、ＲＦ信号コネクタ６４、ＩＦ信号コネクタ６６、モニタ用コネクタ６８及び表示部７０ａ、７０ｂ、７０ｃ、７０ｄは、複数の受信変換モジュール３２のそれぞれの前面に設けられている。
【００３８】
スイッチ６１は、受信変換モジュール３２のオン・オフを切り替える操作を受け付ける。
【００３９】
リセットボタン６２は、位相同期回路(Phase  Locked  Loop)のリセットスイッチであり、駆動中の受信変換モジュール３２内の位相同期回路をリセットする操作を受け付ける。
【００４０】
ＲＦ信号コネクタ６４は、分配器３０と接続されて、分配器３０が出力したＲＦの放送波信号を受け付ける。
【００４１】
ＩＦ信号コネクタ６６は、マルチパスモジュール３６と接続され、ＲＦからＩＦに変換した放送波信号をマルチパスモジュール３６へ出力する。ＩＦ信号コネクタ６６の個数は適宜変更してよい。
【００４２】
表示部７０ａ、７０ｂ、７０ｃ、７０ｄは、ＬＥＤ（Light  Emitting  Diode）等の発光装置であり、受信変換モジュール３２の状態を表示する。例えば、表示部７０ａは、点灯によって、受信変換モジュール３２のオン状態を示す。表示部７０ｂ、７０ｃ、７０ｄは、それぞれ受信変換モジュール３２のＩＮＤＥＴ状態、ＰＬＬ状態、及び、ＯＵＴＤＥＴ状態を示す。尚、ＩＮＤＥＴは、入力検知(Input  Detector)の意味であり、受信変換モジュール３２への入力レベルの正常／異常を検知して、異常であればアラームを出して、受信変換モジュール３２の前に繋がっている装置の異常を報知する。ＰＬＬは、入力信号や基準周波数と、出力信号との周波数を一致させる位相同期回路(Phase  Locked  Loop)であり、ＰＬＬ状態は位相同期回路のロック状態を示し、アンロック時に赤色に点灯する。ＯＵＴＤＥＴは、出力検知(Output  Detector)の意味であり、受信変換モジュール３２からの出力レベルの正常／異常を検知して、異常であればアラームを出して、受信変換モジュール３２内の異常を報知する。
【００４３】
図６は、受信変換モジュール３２の後面の一例を示す図である。図６に示すように、受信変換モジュール３２の後面には、モジュール側電源コネクタ７２と、モジュール側基準信号コネクタ７４と、モジュール側監視用コネクタ７６とが設けられている。
【００４４】
モジュール側電源コネクタ７２は、ＤＣＤＣモジュール３４を介して接続された外部電源コネクタ５６から電力の供給を受け付ける。
【００４５】
モジュール側基準信号コネクタ７４は、外部基準信号コネクタ５８と接続され、外部基準信号コネクタ５８から基準信号を受け付ける。
【００４６】
モジュール側監視用コネクタ７６は、外部監視用コネクタ６０を介して接続された外部監視用コネクタ６０から受け取った自己（＝モジュール側監視用コネクタ７６が設けられた受信変換モジュール３２）の状態を監視する監視情報を外部（例えば、監視装置）へ出力する。
【００４７】
図７は、接続部５２を外した状態での受信変換ユニット１６の後面の一例を示す図である。図７に示すように、ＤＣＤＣモジュール３４の後面には、モジュール側電源入力コネクタ７８と、モジュール側電源出力コネクタ８０とが設けられている。
【００４８】
モジュール側電源入力コネクタ７８は、外部電源コネクタ５６と接続され、外部電源コネクタ５６から受け付けた電力を、ＤＣＤＣモジュール３４の内部回路へと出力する。
【００４９】
モジュール側電源出力コネクタ８０は、ＤＣＤＣモジュール３４の内部コネクタに接続され、ＤＣＤＣモジュール３４が安定化した電力を、各受信変換モジュール３２へ出力する。
【００５０】
図８は、接続部５２の前面の一例を示す図である。図８に示すように、接続部５２の配線基板５４は、基板本体９２と、第１接続部材の一部である電源用配線９４ａと、第２接続部材の一部である信号用配線９４ｂと、第３接続部材の一部である監視用配線９４ｃとを有する。接続部５２は、基板側電源入力コネクタ８２と、基板側電源出力コネクタ８４と、第１接続部材の一部である複数（例えば、２Ｎ個）のモジュール用電源コネクタ８６と、第２接続部材の一部である複数（例えば、２Ｎ個）のモジュール用基準信号コネクタ８８と、第３接続部材の一部である複数（例えば、２Ｎ個）のモジュール用監視用コネクタ９０とを更に有する。
【００５１】
基板本体９２は、絶縁性の板部材（例えば、ガラスエポキシ板）であり、コネクタ８２、８４、８６、８８、９０、及び、配線９４ａ、９４ｂ、９４ｃを保持する。電源用配線９４ａは、分岐しており、１つの基板側電源出力コネクタ８４を、複数のモジュール用電源コネクタ８６に接続する。信号用配線９４ｂは、分岐しており、１つの外部基準信号コネクタ５８を、複数のモジュール用基準信号コネクタ８８に接続する。監視用配線９４ｃは、分岐しており、１つの外部監視用コネクタ６０を、複数のモジュール用監視用コネクタ９０に接続する。
【００５２】
基板側電源入力コネクタ８２は、外部電源コネクタ５６の前方に設けられ、外部電源コネクタ５６と接続され、モジュール側電源入力コネクタ７８と対向する位置に配置されている。従って、ＤＣＤＣモジュール３４が枠体５０内の所定の位置に設置されると、基板側電源入力コネクタ８２は、モジュール側電源入力コネクタ７８と接続されて、外部電源コネクタ５６から受け取った電力を、モジュール側電源入力コネクタ７８を介して、ＤＣＤＣモジュール３４へ供給する。
【００５３】
基板側電源出力コネクタ８４は、モジュール側電源出力コネクタ８０と対向する位置に配置されている。従って、ＤＣＤＣモジュール３４が枠体５０内の所定の位置に設置されると、基板側電源出力コネクタ８４は、モジュール側電源出力コネクタ８０と接続されて、電源用配線９４ａを介して、複数のモジュール用電源コネクタ８６と接続される。
【００５４】
複数のモジュール用電源コネクタ８６は、例えば、左右方向（即ち、水平方向）に沿って、一直線上に配列されて、複数のモジュール側電源コネクタ７２のいずれかと対向する位置に配置されている。従って、複数の受信変換モジュール３２が枠体５０内の所定の位置に設置されると、複数のモジュール用電源コネクタ８６のそれぞれは、複数のモジュール側電源コネクタ７２のいずれかと接続されるので、電源用配線９４ａを介して外部電源コネクタ５６を複数の受信変換モジュール３２のそれぞれに設けられたモジュール側電源コネクタ７２に接続する。これにより、モジュール用電源コネクタ８６は、電源用配線９４ａを介して、外部電源コネクタ５６が受け付けた外部からの電力を、ＤＣＤＣモジュール３４を介して受け付けて、受信変換モジュール３２の内部回路に供給する。
【００５５】
複数のモジュール用基準信号コネクタ８８は、例えば、左右方向（即ち、水平方向）に沿って、一直線上に配列されて、信号用配線９４ｂを介して、外部基準信号コネクタ５８と接続されている。複数のモジュール用基準信号コネクタ８８のそれぞれは、複数のモジュール側基準信号コネクタ７４のいずれかと対向する位置に配置されているので、複数の受信変換モジュール３２が枠体５０内の所定の位置に設置されると、複数のモジュール側基準信号コネクタ７４のいずれかと接続される。これにより、複数のモジュール用基準信号コネクタ８８は、信号用配線９４ｂを介して、外部基準信号コネクタ５８を、複数の受信変換モジュール３２のそれぞれに設けられたモジュール側基準信号コネクタ７４に接続し、外部基準信号コネクタ５８から受け付けた基準信号を受信変換モジュール３２の内部回路に供給する。
【００５６】
複数のモジュール用監視用コネクタ９０は、例えば、左右方向（即ち、水平方向）に沿って、一直線上に配列されて、監視用配線９４ｃを介して、外部監視用コネクタ６０と接続されている。複数のモジュール用監視用コネクタ９０のそれぞれは、複数のモジュール側監視用コネクタ７６のいずれかと対向する位置に配置されているので、複数の受信変換モジュール３２が枠体５０内の所定の位置に設置されると、複数のモジュール側監視用コネクタ７６のいずれかと接続される。これにより、複数のモジュール用監視用コネクタ９０は、監視用配線９４ｃを介して、外部監視用コネクタ６０を、複数の受信変換モジュール３２のそれぞれに設けられたモジュール側監視用コネクタ７６に接続して、受信変換モジュール３２が生成した監視情報をモジュール側監視用コネクタ７６から取得して、外部監視用コネクタ６０を介して、外部の監視装置へ出力する。
【００５７】
次に、受信変換ユニット１６の動作を説明する。受信変換ユニット１６では、１つの外部電源コネクタ５６が、複数のモジュール用電源コネクタ８６を介して、受け付けた電力を各受信変換モジュール３２へ供給する。これにより、受信変換モジュール３２は、スイッチ６１がオンへと操作されると起動する。
【００５８】
複数の受信変換モジュール３２は、それぞれのモジュール用基準信号コネクタ８８を介して、１つの外部基準信号コネクタ５８から基準信号を受け付けて、基準信号のサンプリング周波数で、放送波信号をサンプリングして、モニタ用コネクタ６８から出力する。
【００５９】
複数の受信変換モジュール３２は、監視情報を生成して、それぞれのモジュール用監視用コネクタ９０から出力した当該監視情報を１つの外部監視用コネクタ６０から外部の監視装置へと送信する。
【００６０】
コネクタ８２、８４、８６、８８、９０は、コネクタ７８、８０、７２、７４、７６と容易に挿抜（例えば、プラグイン構造）できることが好ましい。例えば、コネクタ７８、８０、７２、７４、７６が前方からコネクタ８２、８４、８６、８８、９０に挿入されるだけで、コネクタ７８、８０、７２、７４、７６がコネクタ８２、８４、８６、８８、９０に装着されて電気的に接続されることが好ましい。更に、互いに接続されている状態で、コネクタ７８、８０、７２、７４、７６が後方へ引かれるだけで、コネクタ７８、８０、７２、７４、７６がコネクタ８２、８４、８６、８８、９０から抜かれて、電気的な接続が解除されることが好ましい。
【００６１】
上述したように、放送中継装置１０では、コネクタ８６、８８、９０及び配線９４ａ、９４ｂ、９４ｃを介して、コネクタ５６、５８、６０を複数のコネクタ７２、７４、７６に接続している。これにより、ケーブル等でコネクタ７２、７４、７６を外部装置等に接続した場合に比べて、放送中継装置１０は、複数のケーブルを減らすことができるので、装置の小型化を実現できる。更に、放送中継装置１０では、コネクタ５６、５８、６０から外部装置への接続を１本のケーブルにまとめることができるので、放送中継装置１０の周りを整理することができる。
【００６２】
放送中継装置１０では、１つの枠体５０に複数の受信変換モジュール３２を設置することができるので、会社毎に受信変換モジュール３２を設置していた場合に比べて、占有スペースを低減できるとともに、ラック等を低減することができる。これにより、放送中継装置１０は、小型化を実現できる。
【００６３】
放送中継装置１０では、コネクタ７８、８０、７２、７４、７６とコネクタ８２、８４、８６、８８、９０とを容易に挿抜できる構造とすることによって、ラック等から外すことなく、受信変換モジュール３２を容易に交換できる。これにより、放送中継装置１０では、放送の休止中等に受信変換モジュール３２を容易に変換することができる。
【００６４】
放送中継装置１０では、ＤＣＤＣモジュール３４を有するので、全放送波（即ち、全会社）に共通で電源を供給することができ、放送波毎（即ち、会社毎）に電源を供給することもできる。例えば、放送中継装置１０では、ＤＣＤＣモジュール３４と受信変換モジュール３２とを接続することによって、電源を共通化することができる。一方、放送中継装置１０では、外部電源コネクタ５６と受信変換モジュール３２とをＤＣＤＣモジュール３４を介さずに接続することによって、放送波毎に電源を共通することができる。更には、放送中継装置１０では、一部の受信変換モジュール３２をＤＣＤＣモジュール３４と接続して電源を共通化して、残りの受信変換モジュール３２と外部電源コネクタ５６とを接続することによって残りの受信変換モジュール３２に関しては放送波毎に電源を共通することができる。
【００６５】
＜第２実施形態＞
図９は、第２実施形態の放送中継装置の電気系の構成を示すブロック図である。図９に示すように、第２実施形態の放送中継装置１１０は、マルチパスモジュール３６及びＩＦ遅延モジュール３８を一体化させた補償用モジュール１９を有する。
【００６６】
＜第３実施形態＞
図１０は、第３実施形態の放送中継装置の電気系の構成を示すブロック図である。図９に示すように、第３実施形態の放送中継装置２１０は、補償用モジュール１９と、送信変換ユニット２２と、ＰＡユニット２４とを備える。換言すれば、第３実施形態の放送中継装置２１０は、第２実施形態の放送中継装置１１０から分配ユニット１４と、切替ユニット２６と、制御ユニット２８とを省略した構成である。尚、第３実施形態においても、補償用モジュール１９に代えて、マルチパスユニット１８と、ＩＦ遅延ユニット２０とを備えてもよい。
【００６７】
＜第４実施形態＞
図１１は、第４実施形態のＤＣＤＣモジュール１３４の前面の一例を示す図である。図１１に示すように、第４実施形態のＤＣＤＣモジュール１３４の前面（他方の側の面の一例）には、複数のスイッチ１６１、複数のリセットボタン１６２、及び、複数の表示部１７０ａが設けられている。この場合、受信変換モジュール３２のスイッチ６１、リセットボタン６２、及び、表示部７０ａのいずれかまたは全ては省略してもよい。スイッチ１６１、リセットボタン１６２、及び、表示部１７０ａの個数は、接続可能な受信変換モジュール３２の個数と同じである。スイッチ１６１、リセットボタン１６２、及び、表示部１７０ａのそれぞれは、受信変換モジュール３２のいずれかに対応付けられている。
【００６８】
スイッチ１６１は、対応する受信変換モジュール３２のオン・オフとの切り替える操作指示を受け付ける。
【００６９】
リセットボタン１６２は、対応する受信変換モジュール３２をリセットする操作指示を受け付ける。
【００７０】
表示部１７０ａは、対応する受信変換モジュール３２のオン状態を示す。
【００７１】
上述したように、第４実施形態のＤＣＤＣモジュール１３４は、いずれかの受信変換モジュール３２に対応付けられた複数のスイッチ１６１、複数のリセットボタン１６２、及び、複数の表示部１７０ａを有する。これにより、ＤＣＤＣモジュール１３４は、１個所で多くの操作が提供できるとともに、操作の状況を視認させることができる。
【００７２】
上述の実施形態の各構成の機能、接続関係、個数、配置等は適宜変更してよい。
【００７３】
例えば、上述の実施形態では、受信変換モジュール３２を例に挙げて説明したが、受信変換モジュール３２と同様の構成を送信変換モジュール４０に適用して、送信変換モジュール４０と接続部５２とを接続してもよい。
【００７４】
上述の実施形態では、放送中継装置１０が、マルチパスモジュール３６、及び、ＩＦ遅延モジュール３８を備える構成を例に挙げたが、これに限定されない。例えば、マルチパスモジュール３６、及び、ＩＦ遅延モジュール３８は、放送中継装置１０から省略されていてもよい。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１０：放送中継装置、    ３２：受信変換モジュール（周波数変換モジュール）、    ３４：ＤＣＤＣモジュール（電力管理部）、    ４０：送信変換モジュール（周波数変換モジュール）、    ４２：ＤＣＤＣモジュール（電力管理部）、    ５０：枠体、    ５２：接続部、    ５６：外部電源コネクタ、    ５８：外部基準信号コネクタ、    ６０：外部監視用コネクタ、    ６１：スイッチ（操作部）、    ６２：リセットボタン（操作部）、    ６４：ＲＦ信号コネクタ、    ６６：ＩＦ信号コネクタ、    ６８：モニタ用コネクタ、    ７０ａ：表示部、    ７０ｂ：表示部、    ７０ｃ：表示部、    ７０ｄ：表示部、    ７２：モジュール側電源コネクタ、    ７４：モジュール側基準信号コネクタ、    ７６：モジュール側監視用コネクタ、    ７８：モジュール側電源入力コネクタ、    ８０：モジュール側電源出力コネクタ、    ８２：基板側電源入力コネクタ、    ８４：基板側電源出力コネクタ、    ８６：モジュール用電源コネクタ（第１接続部材）、    ８８：モジュール用基準信号コネクタ（第２接続部材）、    ９０：モジュール用監視用コネクタ（第３接続部材）、    ９４ａ：電源用配線（第１接続部材）、    ９４ｂ：信号用配線（第２接続部材）、    ９４ｃ：監視用配線（第３接続部材）、    １３４：ＤＣＤＣモジュール（電力管理部）、    １６１：スイッチ（操作部）、    １６２：リセットボタン（操作部）、    １７０ａ：表示部
【図１】
2018157391.tif 000003
【図２】
2018157391.tif 000004
【図３】
2018157391.tif 000005
【図４】
2018157391.tif 000006
【図５】
2018157391.tif 000007
【図６】
2018157391.tif 000008
【図７】
2018157391.tif 000009
【図８】
2018157391.tif 000010
【図９】
2018157391.tif 000011
【図１０】
2018157391.tif 000012
【図１１】
2018157391.tif 000013